(57)【要約】【課題】複数の放送を受信した際に、複数の放送を同時に利用することができるよう分配器の出力系統間の干渉を抑制する、かつ小型化および低価格化を実現するチューナ集積回路、ならびに放送受信装置を提供する。【解決手段】本発明のチューナ集積回路１０は、チューナ入力端子１３から入力される放送信号を、ＩＦ信号またはベースバンド信号に周波数変換するものであって、増幅回路１５と増幅回路入力端子１１と増幅回路出力端子１２とを備え、上記増幅回路入力端子１１から入力された放送信号を、上記増幅回路で増幅し、増幅された放送信号を上記増幅回路出力端子から出力するので、上記チューナ集積回路１０を用いれば、複数の放送を同時に利用することができ、かつ小型化・低価格化に有利な放送受信装置を提供することができる。【選択図】図１
2010041320.tif 000002
【特許請求の範囲】
【請求項１】
チューナ入力部を備え、上記チューナ入力部から入力される放送信号をＩＦ信号またはベースバンド信号に周波数変換するチューナ集積回路において、
増幅回路と増幅回路入力部と増幅回路出力部とを備え、
上記増幅回路入力部から入力された放送信号を、上記増幅回路で増幅し、増幅された放送信号を上記増幅回路出力部から出力し、
上記増幅回路出力部から出力される上記増幅された放送信号を、上記チューナ入力部へ入力することを特徴とするチューナ集積回路。
【請求項２】
上記増幅回路がエミッタ接地型増幅回路であることを特徴とする請求項１に記載のチューナ集積回路。
【請求項３】
上記増幅回路がソース接地型増幅回路であることを特徴とする請求項１に記載のチューナ集積回路。
【請求項４】
上記増幅回路がカスコード型増幅回路であることを特徴とする請求項１から３のいずれか一項に記載のチューナ集積回路。
【請求項５】
上記増幅回路のためのバイアス回路をさらに備えることを特徴とする請求項１から４のいずれか一項に記載のチューナ集積回路。
【請求項６】
請求項１から５のいずれか一項に記載のチューナ集積回路と、
上記チューナ集積回路の上記増幅回路出力部から出力される上記増幅された放送信号を分配する分配器とを備えることを特徴とする放送受信装置。
【請求項７】
上記分配器で分配された放送信号の一方を、上記チューナ集積回路の上記チューナ入力部に入力することを特徴とする請求項６に記載の放送受信装置。
【請求項８】
請求項１から５のいずれか一項に記載のチューナ集積回路を複数個と、
上記チューナ集積回路の上記増幅回路出力部から出力される上記増幅された放送信号を分配する少なくとも１つの分配器とを備え、
上記複数のチューナ集積回路は、上記分配器を介して、一方のチューナ集積回路の上記増幅回路出力部と、他のチューナ集積回路の上記増幅回路入力部またはチューナ入力部とが接続されており、
上記複数のチューナ集積回路のチューナ入力部にはいずれかの上記分配器で分配された放送信号が入力されることを特徴とする放送受信装置。
【請求項９】
上記分配器はウィルキンソン型分配器であることを特徴とする請求項６から８のいずれか一項に記載の放送受信装置。
【発明の詳細な説明】
【技術分野】
【０００１】
本発明は、チューナ集積回路とそれを用いた放送受信装置に関する。
【背景技術】
【０００２】
従来から、放送周波数が異なる複数の放送について同時に再生および／または録画を行うために、複数のチューナを搭載する放送受信装置が使用されている。
【０００３】
従来の、複数のＲＦ（Radio Frequency）信号を同時に受信し、利用することができる放送受信装置を、図３を用いて説明する。放送受信装置１１０は、１つの入力端子１０１と１つの出力端子１１４を備え、内部に１つの入力アンプ（増幅器）１０２、１つの分配器１０３、チューナ部１０６、および復調部（図示せず）を備える。
【０００４】
入力端子１０１から入力されたＲＦ信号は、入力アンプ１０２で増幅され、さらに分配器１０３で２分配され、一方はチューナ部へ入力され、他方は出力端子１１４から出力される。チューナ部では、入力されたＲＦ信号をＩＦ（Intermediate Frequency）信号またはベースバンド信号に周波数変換し、復調部に伝える。また、出力端子１１４から出力される出力信号を別の放送受信装置の入力端子に接続することで、複数の放送を複数の放送受信装置を用いて同時に再生および／または録画を行うことができる。
【０００５】
実際には、放送信号の変調方式や受信機の構成に応じて、妨害信号を除去するために帯域選択フィルタが適当な位置に配置されるが、ここでは簡単のため省略している。
【０００６】
また１つの放送受信装置で複数の放送を同時に再生および／または録画を行うための放送受信装置も従来から使用されている。特許文献１には、複数の周波数変換回路部を備え、１つの放送入力信号から複数の中間周波数信号を出力するチューナが記載されている。図４は上記チューナの構成を示す図である。チューナ２１０は１つの入力端子２０１および２つのＩＦ出力端子２１４ａ・２１４ｂを備えている。さらに、チューナ２１０は１つのＲＦ増幅器２０２および分配器２０３と、２つの周波数変換回路部２０６ａ・２０６ｂを備えている。
【０００７】
入力端子２０１から入力されたＲＦ放送信号は、ＲＦ増幅器２０２で増幅され、さらに分配器２０３で分配され、分配されたそれぞれのＲＦ放送信号が周波数変換回路部２０６ａ・２０６ｂへ入力される。ここでＲＦ放送信号は周波数変換回路部２０６ａ・２０６ｂによってＩＦ信号に変換され、出力端子２１４ａ・２１４ｂから出力される。出力されたＩＦ信号をＯＦＤＭ（Orthogonal Frequency Division Multiplex：直交周波数分割多重）復調回路またはアナログ復調回路に入力することにより、並列に地上波デジタル信号または地上波アナログ信号を受信することができる。
【０００８】
上記の構成における課題として、通常、分配器での信号分配時にロスがあるため、受信信号経路のＮＦ（雑音指数）が大きくなり、入力信号が弱い場合に受信感度が劣化することが挙げられる。また、第１のチューナと第２のチューナが接続されているため、一方のチューナからの局発信号の漏れなどの影響により、他方のチューナの特性が劣化するおそれがある。
【０００９】
これらの問題に対して、増幅器に適度な雑音特性と利得を持たせることにより、受信経路の雑音指数を小さくすることができ、第１のチューナおよび第２のチューナの弱入力時の受信感度を向上することができる。例えば、分配器として、出力端子間のアイソレーション特性が良好なウィルキンソン型を用いることにより、チューナ間の干渉を抑制し、チューナの特性の劣化を防ぐことができる。
【００１０】
一方で、放送受信装置は、テレビの薄型化等に伴い、小型化が強く要望されている。
【００１１】
放送受信装置の小型化の手段として、従来はディスクリート部品で構成されていたチューナの各構成部を、集積回路で実現する方法がある（例えば特許文献２）。この方法により、小型かつ低価格で放送受信装置を提供することができる。
【特許文献１】特開２００３−３０９７７６号公報（２００３年１０月３１日公開）
【特許文献２】特表２００２−５１２７５０号公報（２００２年４月２３日公表）
【発明の開示】
【発明が解決しようとする課題】
【００１２】
しかしながら、上記従来の受信装置において、チューナ部または周波数変換回路部を集積回路で実現した場合であっても、増幅器（入力アンプ）を、増幅のための能動素子およびバイアス回路や負荷のための受動素子等のディスクリート部品で構成しているため、小型化または低価格化の妨げとなっているという問題がある。
【００１３】
増幅器および分配器をチューナ部とともに集積回路中に形成した場合、小型化・低価格化には有利である。しかしながら、分配器を集積回路で実現する場合、シリコン基板の抵抗の低さのために、分配器の２つの出力間で高いアイソレーションを得ることが困難である。したがって、内部に分配器を備える集積回路の複数の出力を、複数のチューナ部に入力して利用する場合、あるチューナからの局発信号の漏れ等の影響により、他のチューナの特性を劣化させるという問題がある。そのため、従来では分配器と分配器へ出力する増幅器とはディスクリート部品で構成しているため、小型化・低価格化の妨げになっていた。
【００１４】
本発明は、上記の問題点に鑑みてなされたものであり、その目的は、複数の放送を受信した際に、複数の放送を同時に利用することができるよう分配器の出力系統間の干渉を抑制する、かつ小型化および低価格化を実現するチューナ集積回路、ならびに放送受信装置を提供することにある。
【課題を解決するための手段】
【００１５】
本発明に係るチューナ集積回路は、上記課題を解決するために、チューナ入力部を備え、上記チューナ入力部から入力される放送信号をＩＦ信号またはベースバンド信号に周波数変換するチューナ集積回路であって、増幅回路と増幅回路入力部と増幅回路出力部とを備え、上記増幅回路入力部から入力された放送信号を、上記増幅回路で増幅し、増幅された放送信号を上記増幅回路出力部から出力し、上記増幅回路出力部から出力される上記増幅された放送信号を、上記チューナ入力部へ入力することを特徴としている。
【００１６】
上記の構成によれば、増幅回路入力部から入力された放送信号を、チューナ集積回路中の増幅回路で増幅し、増幅された放送信号を増幅回路出力部から出力することができる。
【００１７】
よって、増幅された放送信号を外部の分配器で分配するなどして、周波数が異なる複数の放送を利用することができる。
【００１８】
したがって、能動素子として増幅器等のディスクリート部品を用いないため、上記チューナ集積回路を用いれば、複数の放送を同時に利用することができ、かつ小型化・低価格化に有利な放送受信装置を提供することができる。
【００１９】
また、上記増幅回路は、エミッタ接地型増幅回路であってもよい。
【００２０】
また、上記増幅回路は、ソース接地型増幅回路であってもよい。
【００２１】
上記の構成によれば、増幅回路が良好なノイズ特性を持ち、負荷を適切に設定することで適切な利得を得ることができる。
【００２２】
よって、入力信号が弱い場合にも増幅回路の受信感度性能がよいという効果を奏する。
【００２３】
また、上記増幅回路は、カスコード型増幅回路であってもよい。
【００２４】
上記の構成によれば、高周波の放送信号に対する増幅回路の安定性が増し、利得が得やすくなるという効果を奏する。
【００２５】
また、上記チューナ集積回路は、上記増幅回路のためのバイアス回路をさらに備えてもよい。
【００２６】
上記の構成によれば、チューナ集積回路の外部にバイアス素子を設ける必要がなく、上記チューナ集積回路を用いた放送受信装置はさらに小型化・低価格化に有利になるという効果を奏する。
【００２７】
本発明に係る放送受信装置は、上記課題を解決するために、上記のチューナ集積回路と、上記チューナ集積回路の上記増幅回路出力部から出力される上記増幅された放送信号を分配する分配器とを備えてもよい。
【００２８】
上記の構成によれば、増幅された放送信号を、回路基板上の配線パターンまたはディスクリート部品で構成された分配器で分配することができる。
【００２９】
よって、分配された放送信号を同時に利用することができる。
【００３０】
また、上記放送受信装置は、上記分配器で分配された放送信号の一方を、上記チューナ集積回路の上記チューナ入力部に入力してもよい。
【００３１】
上記の構成によれば、分配器で分配された放送信号の一方がチューナ集積回路のチューナ入力部に入力される。
【００３２】
よって、分配された一方の放送信号を利用しながら、他方の放送信号を他の機器で自由に利用することができる。
【００３３】
また、上記放送受信装置は、チューナ集積回路を複数個と、上記チューナ集積回路の上記増幅回路出力部から出力される上記増幅された放送信号を分配する少なくとも１つの分配器とを備え、上記複数のチューナ集積回路は、上記分配器を介して、一方のチューナ集積回路の上記増幅回路出力部と、他のチューナ集積回路の上記増幅回路入力部またはチューナ入力部とが接続されており、上記複数のチューナ集積回路のチューナ入力部にはいずれかの上記分配器で分配された放送信号が入力されてもよい。
【００３４】
上記の構成によれば、複数のチューナ集積回路のチューナ入力部にそれぞれ放送信号が入力される。
【００３５】
よって、分配器で分配した数だけの放送を同時に利用することができる。
【００３６】
また、上記分配器は、ウィルキンソン型分配器であってもよい。
【００３７】
上記の構成によれば、分配された２つの放送信号出力間のアイソレーションを高くすることができる。
【００３８】
よって、分配器の出力側に接続した複数のチューナ等の機器から漏れる局発信号が、他のチューナに侵入し他のチューナの特性を劣化させるという問題を回避することができる。
【００３９】
したがって、分配器の出力系統間の干渉を抑制することができる。
【発明の効果】
【００４０】
本発明に係るチューナ集積回路は、チューナ入力部から入力される放送信号を、ＩＦ信号またはベースバンド信号に周波数変換するチューナ集積回路であって、増幅回路と増幅回路入力部と増幅回路出力部とを備え、上記増幅回路入力部から入力された放送信号を、上記増幅回路で増幅し、増幅された放送信号を上記増幅回路出力部から出力し、上記増幅回路出力部から出力される上記増幅された放送信号を、上記チューナ入力部へ入力する。
【００４１】
よって、例えば増幅された放送信号を外部の分配器で分配するなどして、複数の放送を利用することができる。
【００４２】
したがって、能動素子として増幅器等のディスクリート部品を用いないため、上記チューナ集積回路を用いれば、複数の放送を同時に利用することができ、かつ小型化・低価格化に有利な放送受信装置を提供することができる。
【発明を実施するための最良の形態】
【００４３】
［実施の形態１］
本発明の第１の実施の形態について図１に基づいて説明する。
【００４４】
図１は、本実施の形態に係る放送受信装置の構成を示す図である。放送受信装置３０は、放送信号入力端子１、放送信号出力端子２、チューナ集積回路１０、および分配器２０を備えている。放送受信装置３０は、さらにチューナ集積回路１０から出力されるＩＦ信号またはベースバンド信号を復調する復調部を備えるが、ここでは図示しない。チューナ集積回路１０は、外部との信号入出力端子として、増幅回路入力端子（増幅回路入力部）１１、増幅回路出力端子（増幅回路出力部）１２、チューナ入力端子（チューナ入力部）１３、およびチューナ出力端子（チューナ出力部）１４を備える。チューナ集積回路１０は、その内部に、能動素子部である増幅回路１５、および周波数変換回路（図示せず）を備える。さらに、放送信号の変調方式や放送受信装置３０の構成に応じて、妨害信号を除去するための帯域選択フィルタがチューナ集積回路１０内の適当な位置に配置されるが、ここでは簡単のため省略している。
【００４５】
放送信号（ＲＦ信号）は、まず放送信号入力端子１から放送受信装置３０に入力される。次に、入力された放送信号は増幅回路入力端子１１からチューナ集積回路１０に入力される。ここで放送信号は増幅回路１５によって増幅され、増幅回路出力端子１２から出力される。増幅された放送信号は、分配器２０に入力され、２つの放送信号出力として分配されて出力される。
【００４６】
一方の放送信号出力は、チューナ入力端子１３からチューナ集積回路１０に入力され、周波数変換回路でＩＦ信号またはベースバンド信号に変換される。その後、ＩＦ信号またはベースバンド信号がチューナ出力端子１４から出力され、復調部で復調される。
【００４７】
他方の放送信号出力は、放送信号出力端子２から放送受信装置３０の外部へ出力される。放送信号出力端子２から外部へ出力された放送信号を、別の放送受信装置（図示せず）に入力することにより、分配された２つの放送信号を同時に利用することができる。すなわち、複数の放送を受信した際に、２つの放送を同時に再生または録画等に利用することができる。放送信号出力端子２から外部へ出力された放送信号を、もう一つの本実施の形態の放送受信装置３０に入力した場合、さらに多くの放送を同時に利用することができる。
【００４８】
本実施の形態では分配器２０はウィルキンソン型分配器であり、分配された２つの放送信号出力間のアイソレーションを高くすることができる。そのため、分配器２０の出力側に複数接続したチューナ（チューナ集積回路）から漏れる局発信号（雑音信号）が、他のチューナに侵入し、他のチューナの特性を劣化させるという問題を回避することができる。尚、上記ウィルキンソン型分配器はディスクリート部品で構成してもよいし、回路基板上の配線パターンによって構成してもよい。後者の方が安価で製作できる。
【００４９】
また増幅回路１５はエミッタ接地型増幅回路であるため、良好なノイズ特性を持ち、負荷を適切に設定することで適切な利得を設定できるので、入力信号が弱い場合にも受信感度性能がよい。
【００５０】
したがって、本実施の形態の放送受信装置３０は、集積回路外にウィルキンソン型分配器を設けているため出力系統間のアイソレーションを高くすることができ、従来の放送受信装置と異なり、能動素子としてディスクリート部品を用いていないため小型化・低価格化が実現できる。すなわち、本発明によれば、分配器の出力系統間の干渉を抑制し、かつ小型化・低価格化を実現する高性能な放送受信装置を提供することができる。
【００５１】
尚、増幅回路１５はソース接地型回路であってもよい。この場合もエミッタ接地型増幅回路と同様に、良好なノイズ特性を持ち、適切な利得を設定できる。また、増幅回路１５はカスコード型増幅回路であってもよい。この場合、高周波の放送信号に対する増幅回路の安定性が増し、利得が得やすくなる。また、チューナ集積回路１０は、増幅回路１５のためのバイアス回路を備えてもよい。この場合、チューナ集積回路の外部にバイアス素子を設ける必要がなく、さらに小型化・低価格化に有利になる。増幅回路１５は、電流出力を出力してもよい。この場合、増幅回路出力端子１２に負荷を接続することにより、分配器２０に電力を供給することができる。この構成によると、負荷としての受動素子にはディスクリート部品を使用することができる。集積回路内に形成される受動素子の特性値の精度が１０〜２０％程度あるのに対して、ディスクリート部品の受動素子の特性値の精度は０．５〜５％程度であるため、所望の増幅器の利得や周波数特性を精度よく実現可能であり、特性のばらつきの少ない放送受信装置を実現することができる。
【００５２】
［実施の形態２］
本発明の第２の実施の形態について図２に基づいて説明する。
【００５３】
図２は、本実施の形態に係る放送受信装置の構成を示す図である。放送受信装置３１は、放送信号入力端子１、２つのチューナ集積回路１０ａ・１０ｂ、および分配器２０を備えている。放送受信装置３１は、さらにチューナ集積回路１０ａ・１０ｂから出力されるＩＦ信号またはベースバンド信号をそれぞれ復調する復調部をそれぞれに対して備えるが、ここでは図示しない。チューナ集積回路１０ａ（１０ｂ）は、それぞれ、外部との信号入出力端子として、増幅回路入力端子１１ａ（１１ｂ）、増幅回路出力端子１２ａ（１２ｂ）、チューナ入力端子１３ａ（１３ｂ）、およびチューナ出力端子１４ａ（１４ｂ）を備える。チューナ集積回路１０ａ（１０ｂ）は、それぞれその内部に、能動素子である増幅回路１５ａ（１５ｂ）、および周波数変換回路（図示せず）を備える。さらに、放送信号の変調方式や放送受信装置３１の構成に応じて、妨害信号を除去するための帯域選択フィルタがチューナ集積回路１０ａ（１０ｂ）内の適当な位置に配置されるが、ここでは簡単のため省略している。
【００５４】
放送信号（ＲＦ信号）は、まず放送信号入力端子１から放送受信装置３１に入力される。次に、入力された放送信号は増幅回路入力端子１１ａから第１チューナ集積回路１０ａに入力される。ここで放送信号は増幅回路１５ａによって増幅され、増幅回路出力端子１２ａから出力される。増幅された放送信号は、分配器２０に入力され、２つの放送信号出力として分配されて出力される。
【００５５】
一方の放送信号出力は、実施の形態１の場合と同様に、チューナ入力端子１３ａから第１チューナ集積回路１０ａに入力され、周波数変換回路でＩＦ信号またはベースバンド信号に変換される。その後、ＩＦ信号またはベースバンド信号がチューナ出力端子１４ａから出力され、対応する復調部で復調される。
【００５６】
他方の放送信号出力は、チューナ入力端子１３ｂから第２チューナ集積回路１０ｂに入力され、同様に周波数変換回路でＩＦ信号またはベースバンド信号に変換される。その後、ＩＦ信号またはベースバンド信号がチューナ出力端子１４ｂから出力され、対応する復調部で復調される。これにより、分配された２つの放送信号を同時に利用することができる。すなわち、複数の放送を受信した際に、２つの放送を同時に再生または録画等に利用することができる。
【００５７】
分配器２０で分配された放送信号出力の一方を、チューナ入力端子１３ａから第１チューナ集積回路１０ａへ入力し、他方を増幅回路入力端子１１ｂから第２チューナ集積回路１０ｂの増幅回路１５ｂへ入力した場合、増幅回路１５ｂで増幅された放送信号をさらに分配器（図示せず）で分配することにより、さらに多くの放送を同時に利用することができる。この場合、放送受信装置３１に３つ以上のチューナ集積回路を設けて分配器からの出力を順にそれぞれのチューナ入力端子に入力してもよいし、分配器からの出力の一部を放送受信装置３１に設けた放送信号出力端子２から外部へ出力してもよい。すなわち、複数のチューナ集積回路の増幅回路出力端子と他のチューナ集積回路の増幅回路入力端子とが、分配器を介して、接続されている構成としてもよい。
【００５８】
本実施の形態では分配器２０はウィルキンソン型分配器であり、分配された２つの放送信号出力間のアイソレーションを高くすることができる。そのため、分配器２０の出力側に複数接続したチューナ（チューナ集積回路）から漏れる局発信号（雑音信号）が、他のチューナに侵入し、他のチューナの特性を劣化させるという問題を回避することができる。
【００５９】
また増幅回路１５ａ・１５ｂはエミッタ接地型増幅回路であるため、良好なノイズ特性を持ち、負荷を適切に設定することで適切な利得を設定できるので、入力信号が弱い場合にも受信感度性能がよい。
【００６０】
したがって、本実施の形態の放送受信装置３１は、集積回路外にウィルキンソン型分配器を設けているため出力系統間のアイソレーションを高くすることができ、従来の放送受信装置と異なり、能動素子としてディスクリート部品を用いていないため小型化・低価格化が実現できる。すなわち、本発明によれば、分配器の出力系統間の干渉を抑制し、かつ小型化・低価格化を実現する高性能な放送受信装置を提供することができる。
【００６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６２】
放送周波数が異なる複数の放送を受信し利用するためのチューナ、またはチューナを搭載する放送受信装置に適用できる。
【図面の簡単な説明】
【００６３】
【図１】本発明の実施の形態１による放送受信装置の構成を示す図である。
【図２】本発明の実施の形態２による放送受信装置の構成を示す図である。
【図３】従来の放送受信装置の構成を示す図である。
【図４】従来の他の放送受信装置の構成を示す図である。
【符号の説明】
【００６４】
１    放送信号入力端子
２    放送信号出力端子
１０、１０ａ、１０ｂ    チューナ集積回路
１１、１１ａ、１１ｂ    増幅回路入力端子（増幅回路入力部）
１２、１２ａ、１２ｂ    増幅回路出力端子（増幅回路出力部）
１３、１３ａ、１３ｂ    チューナ入力端子（チューナ入力部）
１４、１４ａ、１４ｂ    チューナ出力端子（チューナ出力部）
１５、１５ａ、１５ｂ    増幅回路
２０    分配器
３０、３１    放送受信装置
【図１】
2010041320.tif 000003
【図２】
2010041320.tif 000004
【図３】
2010041320.tif 000005
【図４】
2010041320.tif 000006